(57)【要約】【課題】映像出力の条件を音声出力の条件と関連づけて音声出力の出力モードを設定する映像音声再生方法およびその方法を用いる映像音声再生装置を提供する。【解決手段】この発明の映像音声再生装置は、信号を受けつける入出力モジュールと、前記入出力モジュールが受けつける信号を処理するモードを設定する設定モジュールと、前記設定モジュールにより設定されたモードに基づき、前記入出力モジュールが受けつける信号に対して、特定の処理を実行する実行モジュールと、前記設定モジュールへのモード切替が要求されたときに、モード切替がされることで前記実行モジュールによる前記特定の処理の一部に制限が生じることを報知する報知モジュールと、を具備する。【選択図】図２
2010206280.tif 000002
【特許請求の範囲】
【請求項１】
信号を受けつける入出力モジュールと、
前記入出力モジュールが受けつける信号を処理するモードを設定する設定モジュールと、
前記設定モジュールにより設定されたモードに基づき、前記入出力モジュールが受けつける信号に対して、特定の処理を実行する実行モジュールと、
前記設定モジュールへのモード切替が要求されたときに、モード切替がされることで前記実行モジュールによる前記特定の処理の一部に制限が生じることを報知する報知モジュールと、
を具備することを特徴とする映像音声再生装置。
【請求項２】
前記報知モジュールは、前記設定モジュールへのモード切替が要求された場合に、現在実行中の前記特定の処理の動作が停止することを報知することを特徴とする請求項１記載の映像音声再生装置。
【請求項３】
前記報知モジュールは、前記設定モジュールへのモード切替が要求された場合に、現在設定されているモードを継続することを報知することを特徴とする請求項１記載の映像音声再生装置。
【請求項４】
前記特定機能実行モジュールの実行を予約する予約モジュールをさらに具備し、
前記予約がされている状態で、モード切替が要求された場合に、予約があることを報知することを特徴とする請求項１記載の映像音声再生装置。
【請求項５】
外部機器との間で入力信号または出力信号を処理する複数の接続端子と、
前記複数の接続端子が処理するモードを設定する設定モジュールと、
前記設定モジュールにより設定されたモードで、特定の映像音声信号を出力する機能を実行する実行モジュールと、
前記設定モジュールへのモード切替が要求されたときに、モード切替がされることで前記実行モジュールから、映像信号を伴わない出力が出力されることを報知する報知モジュールと、
を具備することを特徴とする映像音声再生装置。
【請求項６】
前記特定機能実行モジュールの実行を予約する予約モジュールをさらに具備し、
前記予約がされている状態で、モード切替が要求された場合に、予約があることを報知することを特徴とする請求項５記載の映像音声再生装置。
【請求項７】
処理対象の信号を受けつけ、
受けつけた信号を処理するモードを設定し、
設定された前記モードに基づき、受けつけた信号のうちの特定の信号を出力する際に、前記モードの切替が要求されたときに、前記モードが切替えられる結果、前記特定の信号の出力が停止することを報知する
ことを特徴とする映像音声再生方法。
【発明の詳細な説明】
【技術分野】
【０００１】
この発明は、映像及び音声を再生可能な映像音声再生装置および映像音声入出力モードの設定方法に関する。
【背景技術】
【０００２】
映像音声再生装置の多機能化に伴い、映像を表示することなく、音声またはオーディオ信号のみを外部装置、例えば外部スピーカーやＡＶ（Audio-Visual）アンプに出力することも可能である。また、映像と音声またはオーディオの再生に関するユーザーの要望の多様化に伴って、信号入力系統（入力端子）が多く設けられることを望むユーザーおよび信号出力系統（出力端子）が多く設けられることを望むユーザーの両者の希望を満足することが求められている。
【０００３】
このような背景から、入力端子と出力端子とを兼用とし、ユーザーの希望に基づいて、特定の端子に、出力用あるいは入力用の機能を割り当てる方式が広く採用されている。また、例えば出力用に割り当てた端子については、音声またはオーディオ信号のみを、映像を表示することなく、出力可能に設定することができる。
【０００４】
特許文献１には、記録（録画）済み映像に、アフレコにより音声を記録する際に、音声入出力兼用端子を介して入力された音声信号を映像入出力兼用端子に出力することで同時モニターを実現するカメラ一体型の記録装置が示されている。
【先行技術文献】
【特許文献】
【０００５】
【特許文献１】特開２０００−９２４３２
【発明の開示】
【発明が解決しようとする課題】
【０００６】
特許文献１は、信号の入力と出力の両方に用いることが可能な入出力兼用端子に対する出力信号の割り当てに関するもので、音声またはオーディオ信号のみを出力端子に出力する際の映像出力に関する記載が見当たらない。例えば、音声（オーディオ）信号のみを出力する処理に引き続いて映像と音声とを出力する処理がある場合の出力モードの切り換え、あるいは映像と音声とを出力する処理に対する制約に関する記載が見当たらない。
【０００７】
この発明の目的は、少なくとも信号の出力に利用可能な信号端子を有する映像音声再生装置において、映像出力の条件を音声出力の条件と関連づけて音声出力の出力モードを設定可能な映像音声入出力モードの設定方法およびその方法を用いる映像音声再生装置を提供することである。
【課題を解決するための手段】
【０００８】
この発明は、上記問題点に基づきなされたもので、信号を受けつける入出力モジュールと、前記入出力モジュールが受けつける信号を処理するモードを設定する設定モジュールと、前記設定モジュールにより設定されたモードに基づき、前記入出力モジュールが受けつける信号に対して、特定の処理を実行する実行モジュールと、前記設定モジュールへのモード切替が要求されたときに、モード切替がされることで前記実行モジュールによる前記特定の処理の一部に制限が生じることを報知する報知モジュールと、を具備することを特徴とする映像音声再生装置である。
【発明の効果】
【０００９】
この発明の一つの実施の形態によれば、少なくとも音声または映像信号の出力が可能な複数の出力モードと複数の入力モードとを設定できる兼用端子を用い、外部装置に対して音声またはオーディオ信号を出力する場合に、映像と音声とを出力する処理がある場合の出力モードの切り換え、あるいは音声のみを出力する処理に引き続く映像と音声とを出力する処理に対して生じることのある制約について、ユーザーに報知可能である。
【００１０】
またこの発明の一つの実施の形態によれば、少なくとも音声または映像信号の出力が可能な複数の出力モードと複数の入力モードとを設定できる兼用端子のモードの切り換えの際に、各モードが入力端子として機能するのか出力端子として機能するのか、また出力端子として利用する場合には、どのタイミングでどのような信号を出力するのかを表示することで、ユーザーに切り換え後の端子の挙動を示すことができる。
【００１１】
さらにこの発明の一つの実施の形態によれば、少なくとも音声または映像信号の出力が可能な複数の出力モードと複数の入力モードとを設定できる兼用端子に対する出力モードの変更が指示された場合において、録画や、設定されている予約録画に支障をきたすことになる場合に、ワーニングを表示することで、設定の変更に伴う制約があることをユーザーに知らせることができる。
【００１２】
またさらにこの発明の一つの実施の形態によれば、少なくとも音声または映像信号の出力が可能な複数の出力モードと複数の入力モードとを設定できる兼用端子に対する出力モードの変更が指示された場合において、その変更の実行すなわち入出力モードを切り換えるかいなかを判断する方法として、その端子を用いて設定している予約録画の有無を確認することができ、映像音声装置を用いる予約録画の失敗等が生じる要因が低減される。
【００１３】
従って、映像音声再生装置の操作性が向上され、ユーザーの負担が低減できる。
【図面の簡単な説明】
【００１４】
【図１】この発明の実施の形態が適用可能な映像音声再生装置の構成の一例を示す概略図。
【図２】図１に示した映像音声再生装置において、「複数の出力モードと複数の入力モードとを設定できる兼用端子のモードの切り換え」を実現する構成の要部の一例を示す概略図。
【図３】図１および図２に示した映像音声再生装置において、「音声出力モードの変更」を実現するユーザー入力（ＧＵＩ（Graphical User Interface））画面表示の表示例の一例を示す概略図。
【図４】図３に示したＧＵＩ画面表示に引き続くＧＵＩ画面表示の表示例の一例を示す概略図。
【図５】図３に示したＧＵＩ画面表示において［予約確認］が指示（入力）された場合に表示される『予約リスト』画面表示の表示例の一例を示す概略図。
【発明を実施するための最良の形態】
【００１５】
以下、図面を参照して、本発明の実施の形態の一例について説明する。
【００１６】
図１は、この発明を適用した映像音声記録再生装置、例えばテレビ受信装置（デジタルテレビジョン放送受信装置）およびテレビ受信装置を中心として構成されるネットワークシステムの一例を示す。なお、以下に説明する映像音声記録再生装置は、例えば入力映像（動画）と音声（オーディオデータ）を記録可能で、その再生時に映像および音声を出力可能なレコーダー装置や、映像と音声を提供するチャンネルを選局して取得し、再生するチューナー装置、もしくは主として光ファイバに代表される有線放送基地（配信）局から配信される番組を受信するセットトップボックス等であってもよい。また、以下に説明する各要素において、「モジュール」と呼称する要素は、ハードウエアで実現するものであってもよいし、ＣＰＵ等を使ってソフトウエアで実現するものであってもよい。
【００１７】
テレビ受信装置１１１は、主として、薄型のキャビネット１１３と、このキャビネット１１３を起立させて支持する支持台１１５とを含む。
【００１８】
キャビネット１１３には、例えばＳＥＤ（Surface-conduction Electron-emitter Display）表示パネルや液晶表示パネル等を含む平面パネル型の映像表示器１３、主としてスピーカーである音声再生器１５、ユーザー操作に対応する制御信号の入力を受け付ける操作部１７、詳述しないリモートコントローラ（リモコン）１１７からのユーザー操作に基づく無線式あるいは赤外線式の操作情報を受けつける受信部１９等が設置されている。
【００１９】
また、テレビ受信装置１１１には、例えばＳＤ（Secure Digital）メモリカード、ＭＭＣ（Multimedia Card）及びメモリスティック等の第１のメモリカード１１９が着脱可能で、第１のメモリカード１１９に対して、番組や写真等の情報の記録と再生が行なわれる。
【００２０】
さらに、テレビ受信装置１１１には、例えば契約情報等の記録された第２のメモリカード（ＩＣカード）１２０が着脱可能となっており、この第２のメモリカード１２０に対して、契約情報等の読み取りが行なわれる。
【００２１】
また、テレビ受信装置１１１は、第１のＬＡＮ（Local Area Network）端子８１、第２のＬＡＮ端子８２、ＵＳＢ（Universal Serial Bus）端子８３及びｉ．ＬＩＮＫ端子８４を備えている。
【００２２】
第１のＬＡＮ端子８１は、ＬＡＮ対応ＨＤＤ（Hard Disk Drive）専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２３】
このように、ＬＡＮ対応ＨＤＤ専用ポートとしての第１のＬＡＮ端子８１を設けることにより、他のネットワーク環境やネットワーク使用状況等に影響されることなく、ＨＤＤ１２５に対して、ハイビジョン画質で提供される番組の情報を安定して記録することができる。
【００２４】
第２のＬＡＮ端子８２は、イーサネット（登録商標）を用いた一般的なＬＡＮ対応ポートとして使用されるもので、例えばハブ１２６を介してＬＡＮ対応のＨＤＤ１２７、コンテンツサーバーであるＰＣ１２８、ハードディスク装置（ＨＤＤ）を内蔵したＤＶＤ（Digital Versatile Disk）レコーダー１２９等の外部機器との接続、及び接続されたこれらの機器と情報伝送（すなわち情報の受け渡し）に使用される。
【００２５】
コンテンツサーバーであるＰＣ１２８については、家庭内ネットワークにおいて、コンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２６】
なお、ＤＶＤレコーダー１２９については、第２のＬＡＮ端子８２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２７】
第２のＬＡＮ端子８２はまた、ハブ１２６に接続されたブロードバンドルータ１３１を介して、例えばインターネット等のネットワーク１３２に接続可能であり、コンテンツサーバーであるＰＣ１３３や携帯電話１３４等と間の情報の伝送を行なうために使用される。
【００２８】
コンテンツサーバーであるＰＣ１３３については、コンテンツのサーバー機器として動作するための機能を持ち、さらにコンテンツのアクセスに必要なＵＲＩ情報を提供するサービスを備えたＵＰｎＰ対応機器として構成される。
【００２９】
また、ＵＳＢ端子８３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００３０】
ｉ．ＬＩＮＫ端子８４は、例えばＡＶ−ＨＤＤ１４１、Ｄ（Digital）−ＶＨＳ（Video Home System）１４２等をシリアル接続するもので、これらの機器との間の情報伝送を行なうために使用される。
【００３１】
図２は、図１に示した映像音声記録再生装置（テレビ受信装置）の１１１の主要な信号処理系を示している。
【００３２】
テレビ受信装置１１１は、図１を用いて説明した映像表示器１３、音声再生器１５、操作部１７、リモコン受信部１９、および上述したそれぞれのユニットからの信号の処理、上述したそれぞれのユニットへの信号の出力及び各ユニットの動作や表示等を制御する制御モジュール６０等を含む。また、制御モジュール６０は、制御ブロックあるいはメインボードと呼ばれることもある。
【００３３】
制御モジュール６０は、ＣＰＵ（Central Processing Unit）６１に代表される主制御用ＩＣ（ＬＳＩ）を内蔵し、操作部１７からの操作情報（入力）、またはリモコンから送出された操作情報を受信部１９により受信した（リモコン入力）制御信号に対応する操作内容が反映されるように、上述した各ユニットを、それぞれ制御する。
【００３４】
制御モジュール６０はまた、ＣＰＵ６１が実行する制御プログラムを保持したＲＯＭ（Read Only Memory）６２、ＣＰＵ６１に作業エリアを提供するＲＡＭ（Random Access Memory）６３、および各種の設定情報や、制御情報等が格納され、保持される不揮発性メモリ（Non Volatility Memory，ＮＶＭ）６４を、含む。なお、不揮発性メモリ（ＮＶＭ）６４は、後段に説明するが、例えば操作部１７あるいはリモコン１１７からの制御入力（ユーザー入力）として入力される「予約録画情報」を、ユーザー操作により『予約録画』が設定されるまでの間、一時的に保持する。
【００３５】
なお、制御モジュール６０は、ＲＯＭ（Read Only Memory）６２に格納されている制御プログラムに基づいて、所定の動作あるいは処理を実現するための、さまざまな信号処理ブロックを含む。
【００３６】
制御モジュール６０はまた、設定された『予約録画』に関する、例えば［開始日時］，［終了日時］，［チャンネル］及び［レート］等の情報を保持し、予約録画制御モジュール６５、各種設定やユーザー操作（ユーザー入力）、例えば予約録画の設定のために利用されるＧＵＩ（Graphical User Interface，グラフィカルユーザーインタフェース）画面の表示を制御するＧＵＩ画面表示モジュール６６、ユーザーによる操作入力の有無を検知する操作入力判別モジュール６７、等を含む。なお、制御モジュール６０は、映像処理モジュール５８を経由して映像表示器１３および出力端子（映像信号）２１に出力される映像信号、および音声処理モジュール５５を経由して音声再生器１５および出力端子（音声出力）２３に出力される音声（オーディオ）信号の出力モードを設定する出力モード切換モジュール６８を、さらに含む。また、制御モジュール６０には、後段に説明するが、少なくとも１つのテレビ受信装置１１１に内蔵型の大容量記録装置、例えばＨＤＤモジュール９０が接続されているものとする。
【００３７】
制御モジュール６０はさらに、第１のカードＩ／Ｆ（Interface）７１を介して、第１のメモリカード１１９が装着可能な第１のカードホルダ７２に接続されている。これにより、制御モジュール６０は、第１のカードホルダ７２に装着された第１のメモリカード１１９と、カードＩ／Ｆ７１を介して、例えば番組や写真等の情報の記録と再生が可能となる。
【００３８】
また、制御モジュール６０は、第２のカードＩ／Ｆ７３を介して、第２のメモリカード１２０が装着可能な第２のカードホルダ７４に接続されている。これにより、制御モジュール６０は、第２のカードホルダ７４に装着された第２のメモリカード１２０と第２のカードＩ／Ｆ７３を介して、契約情報等に従い、入力される放送波や配信された番組を視聴できる。
【００３９】
制御モジュール６０にはまた、第１および第２の通信インターフェース（Ｉ／Ｆ）７５，７６、ＵＳＢインターフェース（Ｉ／Ｆ）７７、およびｉ．Ｌｉｎｋインターフェース（Ｉ／Ｆ）７８等の任意数のインターフェース群が接続され、それぞれのインターフェースに適合する外部装置あるいはハブ（拡張装置）もしくはネットワーク制御装置として機能する。
【００４０】
例えば、第１通信インターフェース７５には、ＬＡＮ端子８１が接続され、例えばＬＡＮ（ネットワーク）対応の図示しない外部（ＮＡＳ（Network Attached Storage）ＨＤＤ（Hard Disk Drive））が接続される。なお、ＬＡＮ端子８１は、イーサネット（Ethernet（登録商標））を用いた一般的なＬＡＮ対応ポートとして使用することも可能で、例えばハブ（Hub）が接続されることで、ＬＡＮ対応のＨＤＤ、ＰＣ（personal computer）、ＨＤＤ内臓のＤＶＤレコーダー等の機器の接続が可能である。
【００４１】
例えば、第２の通信Ｉ／Ｆ７６には、第２のＬＡＮ端子８２が接続されている。これにより、制御モジュール６０は、第２のＬＡＮ端子８２に接続された各機器（図１参照）との間で、相互に、情報伝送することができる。
【００４２】
ＵＳＢインターフェース（Ｉ／Ｆ）７７は、ＵＳＢポート８３と接続され、図１に示したように、ＵＳＢポート８３に接続されるハブ１３５を介して、携帯電話１３６、デジタルカメラ１３７、メモリカードに対するカードリーダ／ライタ１３８、ＵＳＢインターフェースを介してアクセス可能に形成されたＨＤＤ１３９、キーボード１４０等が接続可能であり、それぞれのＵＳＢ機器との間で情報の受け渡しが可能である。
【００４３】
ｉ．Ｌｉｎｋインターフェース（Ｉ／Ｆ）７８は、ポート８４を介して、例えばＡＶ（オーディオ−ビジュアル）−ＨＤＤ１４１や、Ｄ（Digital）−ＶＨＳ（video home system）１４２等の外部機器、もしくは外部地上波デジタルチューナー等がシリアル接続可能であり、接続される任意の機器との間で情報の受け渡しが可能である。
【００４４】
制御モジュール６０はまた、通信Ｉ／Ｆ７５を経由して第１のＬＡＮ端子８１に接続されているので、制御モジュール６０の制御により、第１のＬＡＮ端子８１に接続されたＬＡＮ対応のＨＤＤ１２５との間で、映像及び音声を含む情報を伝送することができる。また、制御モジュール６０は、ＤＨＣＰ（Dynamic Host Configuration Protocol）サーバーとして機能し、第１のＬＡＮ端子８１に接続されたＬＡＮ対応のＨＤＤ１２５に、ＩＰ（Internet Protocol）アドレスを割り当てて制御している。
【００４５】
制御モジュール６０はさらに、通信Ｉ／Ｆ７６を介して第２のＬＡＮ端子８２に接続されている。これにより、制御モジュール６０は、第２のＬＡＮ端子８２に接続された各機器（図１参照）との間で、相互に、情報伝送することができる。
【００４６】
また、制御モジュール６０は、ＵＳＢ  Ｉ／Ｆ７７を介してＵＳＢ端子８３に接続されている。これにより、制御モジュール６０は、ＵＳＢ端子８３に接続された各機器（図１参照）と、ＵＳＢ  Ｉ／Ｆ７７を介して情報伝送することができる。
【００４７】
さらに、制御モジュール６０は、ｉ．ＬＩＮＫ  Ｉ／Ｆ７８を介してｉ．ＬＩＮＫ端子８４に接続されている。これにより、制御モジュール６０は、ｉ．ＬＩＮＫ端子８４に接続された各機器（図１参照）と、ｉ．ＬＩＮＫ  Ｉ／Ｆ７８を介して、相互に、情報伝送することができる。
【００４８】
なお、詳述しないが、個々のインターフェースに加えて、もしくは任意の１または複数のインターフェースに代えて、例えば図示しないＤＬＮＡ（Digital Living Network Alliance（登録商標））規格等に準拠したネットワークコントローラや、図示しないBluetooth（登録商標）またはブルートゥース（登録商標）規格に準拠した通信モジュール等が用意され、それらを経由して、データの受け渡しが可能なレコーダー装置やＨＤＤ装置、もしくは携帯可能な端末装置が接続されてもよいことはいうまでもない。
【００４９】
またさらに、個々のインターフェースに加えて、もしくは任意の１または複数のインターフェースに代えて、図示しないが、ＨＤＭＩ（High-definition Digital Media Interface）端子が用意された場合には、詳述しないが、例えばＤＶＤレコーダーやＡＶアンプ、あるいはハブが接続される。なお、ＡＶアンプには、例えばＤＶＤレコーダーやＤＶＤプレーヤー等が接続される。また、ハブには、例えばＨＤＭＩ端子を備えたＡＶアンプや、ＰＣ（personal computer）、ＨＤＤ内臓のＤＶＤレコーダー、ＤＶＤプレーヤー等の外部機器が接続可能であり、例えば携帯音楽プレーヤーや映像再生装置等の携帯端末との間の動画ファイル（映像データ）やオーディオファイル（音声データ）の読み込みおよび再生ならびに書き込み（記録）等も可能である。
【００５０】
なお、ＨＤＭＩ端子を介して接続されている外部機器がＨＤＭＩ−ＣＥＣ（Consumer Electronics Control）に準拠している場合には、接続された外部機器は、例えばテレビジョン受信装置のリモート端末（リモコン）等の操作により、テレビジョン受信装置を経由して動作を制御することができる。
【００５１】
上述したテレビ受信装置１１１においては、ＢＳ／ＣＳデジタル放送受信用のアンテナ４２で受信した衛星デジタルテレビジョン放送信号は、入力端子４３を介して衛星デジタル放送用のチューナーモジュール４４に供給される。
【００５２】
チューナーモジュール４４は、制御モジュール６０からの制御信号により少なくとも２つの所望のチャンネルの放送信号を選局し、この選局された放送信号をＰＳＫ（Phase Shift Keying）復調器モジュール４５に出力する。
【００５３】
ＰＳＫ復調器モジュール４５は、制御モジュール６０からの制御信号に基づき、チューナーモジュール４４で選局された放送信号を復調して、所望の番組を含んだトランスポートストリーム（Transport Stream，ＴＳ）を得て、ＴＳ復号器モジュール４６に出力する。
【００５４】
ＴＳ復号器モジュール４６は、制御モジュール６０からの制御信号により、トランスポートストリーム多重化された信号のＴＳ復号処理（デパケット）し、所望の番組のデジタルの映像信号及び音声信号（ＰＥＳ（Packetized Elementary Stream））を信号処理モジュール４７のバッファメモリ４７ａに出力する。
【００５５】
また、ＴＳ復号器モジュール４６は、デジタル放送により送られている番組（コンテンツ）を取得するための各種データ（サービス情報）、電子番組ガイド（ＥＰＧ）情報、番組属性情報（番組ジャンル等）および字幕情報等を制御モジュール６０（ＲＡＭ６３）へ出力する。
【００５６】
また、地上波放送受信用のアンテナ４８で受信した地上デジタルテレビジョン放送信号は、入力端子４９を通じて地上デジタル放送用チューナーモジュール５０に入力される。
【００５７】
チューナーモジュール５０は、制御モジュール６０からの制御信号により少なくとも１つの所望のチャンネルの放送信号を選局し、この選局された放送信号をＯＦＤＭ（Orthogonal Frequency Division Multiplexing）復調器モジュール５１に出力する。
【００５８】
ＯＦＤＭ復調器モジュール５１は、制御モジュール６０の制御に従い、チューナーモジュール５０で選局された少なくとも１つの放送信号を復調して、所望の番組を含んだトランスポートストリームを得て、ＴＳ復号器５６に出力する。
【００５９】
ＴＳ復号器モジュール５６は、制御モジュール６０の制御に従い、トランスポートストリーム（ＴＳ）多重化された信号のＴＳ復号処理を行い、所望の番組のデジタルの映像信号および音声信号を信号処理モジュール４７に出力する。
【００６０】
地上波放送受信用のアンテナ４８で受信した地上アナログテレビジョン放送信号は、入力端子４９を経由して地上アナログ放送用のチューナーモジュール５２に入力され、同モジュール５２により、所望のチャンネルの放送信号が選局される。チューナーモジュール５２で選局された放送信号は、アナログ復調器モジュール５３によりアナログコンテンツすなわちアナログの映像信号および音声信号に復調された後、信号処理モジュール４７に出力される。
【００６１】
信号処理モジュール４７は、バッファメモリ４７ａが保持するＴＳ復調器モジュール４６または同モジュール５６からそれぞれ供給されたデジタルの映像信号および音声信号に対して選択的に所定のデジタル信号処理を施し、グラフィック処理モジュール５４及び音声処理モジュール５５に出力する。
【００６２】
信号処理モジュール４７にはまた、複数（図示の場合は４つ）の入力端子４１ａ，４１ｂ，４１ｃ，４１ｄが接続されている。
【００６３】
入力端子４１ａ〜４１ｄは、それぞれ、アナログの映像信号及び音声信号を、テレビ受信装置１１１の外部から入力可能とする。なお、図示する通り、第１および第２の入力端子４１ａ，４１ｂは、信号処理モジュール４７と直接、接続されている。また、第３および第４の入力端子４１ｃ，４１ｄは、入出力切換モジュール２５および２７を介して、それぞれ、後段に説明するが、映像処理モジュール５８からの映像信号が出力される映像出力端子２１および音声処理モジュール５５からの音声信号が出力される音声出力端子２３と一体化され、入出力切換モジュール２５および２７が制御ブロック６０の制御により、信号の入力に用いる入力モードまたは信号の出力に用いる上述の出力モードに、任意に切り替えられることで、信号処理モジュール４７への信号入力（外部からの入力信号）の入力にも利用可能である。また、第３の入力端子４１ｃ（音声出力端子２３）および第４の入力端子４１ｄ（映像出力端子２１）は、その特性上、兼用端子と称されることある。
【００６４】
なお、信号処理モジュール４７のセクション処理モジュール４７ｂでは、デジタル放送波により送られてくる番組を取得するための各種データや電子番組ガイド（ＥＰＧ）情報や、番組属性情報（番組ジャンル等）、字幕情報等（サービス情報、ＳＩやＰＳＩ）等を取得して、制御モジュール６０（ＲＡＭ６３）へ出力する。
【００６５】
信号処理モジュール４７または、アナログ復調器５３及び各入力端子４１ａ〜４１ｄから、それぞれ供給されたアナログの映像信号及び音声信号を選択的にデジタル化し、このデジタル化された映像信号及び音声信号に対して所定のデジタル信号処理を施した後、グラフィック処理モジュール５４及び音声処理モジュール５５に出力する。
【００６６】
従って、テレビ受信装置１１１においては、例えば衛星向けチューナーモジュール４４で受信した任意のチャンネルの番組と地上デジタルチューナーモジュール５０で受信した任意のチャンネルの番組、あるいは任意のチューナーモジュールで受信した任意のチャンネルの番組と任意の入力端子４１ａ〜４１ｄのいずれかに入力された映像信号および音声信号を、ＨＤＤモジュール９０または外部ＨＤＤ１２５もしくはＡＶ−ＨＤＤ１４１に同時に録画し、ユーザーから指定された１つの番組を映像処理モジュール５８および音声処理モジュール５５を経由して、映像表示器１３および音声再生器１５に出力することが可能である。またさらには、上記チューナーモジュール４４または同５０で受信した任意の番組あるいは、入力端子４１ａまたは４１ｂに入力された映像信号および音声信号を、任意の兼用端子、すなわち入力端子４１ｃ（音声出力端子２３）または同４１ｄ（映像出力端子２１）から出力することが可能である。
【００６７】
制御モジュール６０（ＲＡＭ６３）には、上述したが、信号処理モジュール４７から、番組を取得するための各種データや電子番組ガイド（ＥＰＧ）情報、番組属性情報（番組ジャンル等）、字幕情報等（サービス情報、ＳＩやＰＳＩ）が入力されている。従って、制御モジュール６０は、これら入力された情報からＥＰＧ、字幕を表示するため画像生成処理を行い、この生成した画像情報をグラフィック処理モジュール５４へ出力する。例えば、『予約録画』の設定中においては、取得したＥＰＧ情報と予約録画のための条件が、予約録画制御モジュール６５で処理され、ＧＵＩ画面表示モジュール６６により生成されたＧＵＩ画面や、以下に説明する、グラフィック処理モジュール５４およびＯＳＤモジュール５７で生成されるＯＳＤ信号が、映像処理モジュール５８を経由して映像表示器１３および映像出力端子２１（兼用端子４１ｄ）に出力される。なお、映像処理モジュール５８を経由して映像表示器１３および映像出力端子２１（兼用端子４１ｄ）に出力される映像信号は、制御モジュール６０の出力モード切換モジュール６８により設定されている出力モードで出力されることはいうまでもない。
【００６８】
グラフィック処理モジュール５４は、（１）信号処理モジュール４７内のＡＶデコーダー４７ｃから供給されるデジタルの映像信号と、（２）ＯＳＤ（On Screen Display）信号生成モジュール５７で生成されるＯＳＤ信号と、（３）データ放送による画像データと、（４）制御モジュール６０により生成されたＥＰＧ，字幕信号とを合成して映像処理モジュール５８へ出力する機能を有する。
【００６９】
なお、ＯＳＤ信号生成モジュール５７により出力されるＯＳＤ信号は、グラフィック処理モジュール５４により、ＯＳＤ信号生成モジュール５７のＯＳＤ信号と信号処理モジュール４７の映像信号の両出力を、それぞれ画面の半分を構成するよう、もしくは一方の画面を全体に表示させた状態で他方の画面を、既に全体に表示されている一方の画面の表示内の任意の位置に、所定のサイズで重なり合うよう、組み合わせて出力することができる。また、グラフィック処理モジュール５４は、予め設定されるαブレンディングのパラメーターに応じて、通常の映像表示上に、ＯＤＳ信号生成モジュール５７からの出力を、「半透明」状態で（通常の映像信号の一部を透過可能に）重ね合わせて、映像表示器１３あるいは映像出力端子２１に出力させることもできる。グラフィック処理モジュール５４はまた、放送信号が字幕信号を伴い、字幕が表示可能である場合は、制御モジュール６０からの制御信号および字幕情報に基づき、映像信号上に字幕情報を重畳する処理を行う。
【００７０】
グラフィック処理モジュール５４から出力されたデジタルの映像信号は、映像処理モジュール５８に供給される。映像処理モジュール５８は、映像表示器１３すなわちディスプレイ装置（モニター装置）により映像（動画／静止画）出力として再生可能に、グラフィック処理モジュール５４から供給されるデジタルの映像信号をアナログの映像信号に変換する。なお、映像処理モジュール５８と接続された映像出力端子２１には、例えば外部装置として、拡大投影装置（プロジェクタ装置）や外部モニター装置が接続されてもよいことはいうまでもない。映像出力端子２１にはまた、例えばＤＶＤ規格の光ディスクを記録媒体とするＤＶＤレコーダー装置や、従来からのビデオテープを記録媒体とするビデオレコーダー装置が接続されてもよい。なお、映像出力端子２１は、制御モジュール６０の制御により動作する入出力切換モジュール２５を経由して、信号処理モジュール４７への入力映像信号の入力にも利用される入力端子４１ｄとしても利用可能であることは既に説明した通りである。また、映像処理モジュール５８を経由して映像出力端子２１に出力される映像信号は、制御モジュール６０の出力モード切換モジュール６８により設定されている出力モードで出力されることはいうまでもない。
【００７１】
音声処理モジュール５５は、スピーカー等に代表される音声再生器１５により可聴域の周波数の空気の振動である音声またはオーディオ出力を再生可能に、信号処理モジュール４７から供給されるデジタルの音声信号を、アナログの音声信号に変換する。なお、詳述しないが、音声信号（オーディオ出力）は、音声出力端子２３と接続される外部スピーカーや、オーディオアンプ（ミキサーアンプ）や、音声出力端子２３の１つの形態として用意されるヘッドホン出力端子に、音声／オーディオ出力として再生可能に出力されてもよいことはいうまでもない。なお、音声出力端子２３は、制御モジュール６０の制御により動作する入出力切換モジュール２７を経由して、信号処理モジュール４７への入力音声信号の入力にも利用される入力端子４１ｃとしても利用可能であることは既に説明した通りである。また、音声処理モジュール５５を経由して音声出力端子２３に出力される音声（オーディオ）信号は、制御モジュール６０の出力モード切換モジュール６８により設定されている出力モードで出力されることはいうまでもない。
【００７２】
図３は、本発明の実施形態の一形態である複数の兼用端子について、入力モードと出力モードとを切り換えるためのユーザー入力（ＧＵＩ（Graphical User Interface））画面の表示の一例を示す。
【００７３】
図３に示すように、任意のチャンネルの放送信号あるいは再生中のコンテンツの映像が映像表示器１３に表示されている状態で、リモコン端末１１７あるいは操作部１７を経由してユーザーから兼用端子モード設定を実行するための操作入力があったことが操作入力判別モジュール６７において検出されると、ＧＵＩ映像出力すなわちＯＳＤモジュール５７により生成されたＯＳＤ信号である［兼用端子モード設定］表示３０１が、映像処理モジュール５８を経由して映像表示器１３に表示される。また、放送信号あるいは再生中のコンテンツの映像に付属する音声（またはオーディオ信号）は、音声処理モジュール５５を経由して音声再生器１５に入力され、音声またはオーディオとして再生される。なお、［兼用端子モード設定］表示３０１は、現在再生中の番組またはコンテンツの映像に重ねて表示された状態で、あるいはαブレンディングにより設定された所定の透過率で現在表示されている映像を透過させた状態で、映像表示器１３に出力される。また、兼用端子４１ｄ（映像出力端子２１）が、入出力切換モジュール２７（映像）により信号出力端子として設定されている場合には、同端子４１ｄにも映像表示器１３と同じ映像を表示可能な表示出力（映像信号）が出力される。同様に、兼用端子４１ｃ（音声出力端子２３）が、入出力切換モジュール２５（音声）により信号出力端子として設定されている場合には、同端子４１ｃにも音声再生器１５と同じ音声またはオーディオを再生可能な音声（またはオーディオ信号）が出力される。
【００７４】
図３において、［兼用端子モード設定］表示３０１は、複数の兼用端子のそれぞれが、入力または出力のいずれかに設定されているモードであるかを、映像表示器１３の画面表示として報知可能な第１ないし第３の表示領域３０３、３０５および３０７を含む。第１の表示領域３０３は、例えば兼用端子４１ｄ（映像出力端子２１）および兼用端子４１ｃ（音声出力端子２３）が出力に設定されている第１の出力モードを表示する。また、第２の表示領域３０５は、例えば兼用端子４１ｃ（音声出力端子２３）のみが出力に設定されている第２の出力モードを表示する。なお、図３における第３の表示領域３０７は、複数の兼用端子の少なくとも１つが、信号入力に用いる入力モードとして設定されていることを表示する。
【００７５】
図３に示す例、すなわち第１の表示領域３０３の「反転表示」またはは「他の表示領域と異なる色による表示」は、兼用端子４１ｄ（映像出力端子２１）および兼用端子４１ｃ（音声出力端子２３）が外部装置による録画（録音）を可能とする映像信号および音声（またはオーディオ）信号の出力に用いる第１の出力モードである「録画出力」モードに設定されていることを示す。また、兼用端子４１ｄ（映像出力端子２１）および兼用端子４１ｃ（音声出力端子２３）が「録画出力」モードに設定され、かつ、これらの兼用端子を用いる録画予約が登録されている場合は、図３に示すように、表示３０３内のマーカー領域３０３ａに、兼用端子４１ｄ（映像出力端子２１）および兼用端子４１ｃ（音声出力端子２３）を用いる録画予約が予約（登録）されていることを示す、例えば「針式時計」を模したアイコン（ＧＵＩ）を表示する。
【００７６】
図３に示す例はまた、上述した兼用端子４１ｄ（映像出力端子２１）および兼用端子４１ｃ（音声出力端子２３）を用いる録画予約のために「録画出力」が設定されている場合であっても映像信号が出力されず「音声またはオーディオ信号」のみが出力されるモードである「音声出力モード（第２の出力モード）」に切り替えることができることを示す。但し、「音声出力」モードが設定された場合には、兼用端子４１ｄ（映像出力端子２１）には、映像信号が出力されない、すなわち、兼用端子４１ｃ（音声出力端子２３）のみに音声（またはオーディオ）信号が出力されるので、兼用端子４１ｄ（映像出力端子２１）および兼用端子４１ｃ（音声出力端子２３）を用いる録画は、映像信号が記録されない録画となる。
【００７７】
すなわち、「音声出力」モードが設定された場合、現在実行中の機能である「録画出力」については、「映像信号」が出力されないため、図４を用いて後段に説明するように、映像出力端子２１への映像信号の出力が停止され、音声出力端子２３への音声またはオーディオ信号のみが出力されることが、映像表示器１３に、「ワーニング画面」表示４０１として表示される。
【００７８】
また、表示３０１内には、兼用端子４１ｃ（音声出力端子２３）が音声（またはオーディオ）出力のための出力端子、すなわち兼用端子が第２のモードに設定された場合のテレビ受信装置１１１の動作状態であって、音声再生器１５への音声（またはオーディオ）出力の有無、あるいは出力される音声またはオーディオ信号の種類や、信号の出力タイミングとしての、兼用端子を利用する録画がされているときのみ、同端子から音声またはオーディオが出力されること、あるいは録画された番組を再生中に、その番組の映像信号と音声信号またはオーディオデータが出力されること、等のユーザーに報知すべきさまざまなメッセージを表示する「メッセージ」領域３０９が設定されている。なお、領域３０９が表示するメッセージは、例えば予約録画として登録されている番組の録画開始時間やチャンネルおよびレート等であってもよく、録画開始時刻が迫っている予約録画があることの表示であってもよく、ＧＵＩ画面表示モジュール６６により用意される任意の表示を、表示可能である。
【００７９】
図４は、図３に示したユーザー入力画面から、予約録画が設定されている状態で入出力モードの設定の変更の指示（入力）があった場合に、表示するワーニング画面の表示の一例を示す。
【００８０】
図３に示した［兼用端子モード設定］表示３０１が映像表示器１３に表示されている状態すなわち、兼用端子４１ｄ（映像出力端子２１）および兼用端子４１ｃ（音声出力端子２３）を用いた任意数の予約録画が登録されている状態において、リモコン端末１１７あるいは操作部１７のユーザーによる操作により、例えば兼用端子４１ｄ（映像出力端子２１）への映像信号の出力がなく兼用端子４１ｃ（音声出力端子２３）への音声（またはオーディオ）信号のみが出力される第２の出力モードである「音声出力」モードへの変更が指示された場合、すなわち外部装置による番組またはコンテンツの録画のための映像と音声またはオーディオとを出力する第１の出力モードから映像信号の出力がなく端子２３（音声出力）への音声またはオーディオ信号のみが出力される第２の出力モードへの変更が指示された場合に、映像表示器１３の表示４０１として表示される「ワーニング画面」が表示される。なお、「ワーニング画面（表示４０１）」は、ＧＵＩ表示制御モジュール６６において用意されるワーニング画面の映像が、ＯＳＤ信号生成モジュール５７、グラフィック処理モジュール５４、および映像処理モジュール５８を経由して、映像表示器１３の現在表示されている映像に重ねて、表示４０１として、表示される。
【００８１】
すなわち、「音声出力」モードが設定された場合には、録画予約が登録されていることを「ワーニング画面」表示４０１により報知して、モードの切り替えを実行してよいか否か、について、ユーザーからの指示があるまでは、現在の動作（モード）を維持する。
【００８２】
「ワーニング画面」表示４０１は、出力モードの変更を実行する［はい］ボタン表示４０３と出力モードの変更を中止する［いいえ］ボタン表示４０５とを含む。なお、「ワーニング画面」表示４０１は、ユーザーの要求があった場合に現在登録されている録画予約の件数、日時、チャンネル、レート等を表示する予約確認画面を表示するための［予約確認］ボタン表示４０７および各ボタン表示を用いるユーザー入力（指示）の方法を案内するガイダンスが表示される［ガイダンス］表示領域４０９を含む。
【００８３】
ユーザーにより、［いいえ］ボタン表示４０５を介して出力モードの変更の中止（とりやめ）が入力されると、「ワーニング画面」表示４０１が消去され、［兼用端子モード設定］表示３０１が再び、前面に表示される。また、その背景では、再生中のコンテンツまたは表示中の番組の映像の表示が継続される。なお、［ガイダンス］表示領域４０９に示される表示に従って、例えばリモコン端末１１７の図示しない［戻る］ボタン（キー）がオンされることによっても、元の映像が表示される（再生中のコンテンツまたは表示中の番組の映像の表示が継続され、さらにその映像の前面に［兼用端子モード設定］表示３０１が表示される）。
【００８４】
ユーザーにより、［はい］ボタン表示４０３を介して出力モードの変更の実行が指示されると、兼用端子４１ｃ（音声出力端子２３）からの音声（またはオーディオ）信号のみが出力される「音声出力」モードへ設定が切り替わる。
【００８５】
なお、［予約確認］ボタン表示４０７から予約録画の確認が指示されると、図５に一例を示す「予約一覧画面」表示に遷移する（『予約リスト』画面が表示される）。従って、ユーザーは、もっとも早い予約録画が開始されるまでの時間をモニター（視認）することができ、それまでの間、兼用端子４１ｃ（音声出力端子２３）に対して音声のみを出力する出力モードを設定することができる（もちろん、最も早い予約録画の開示時間が参照されることで、モードの変更が中止される場合も考えられることはいうまでもない）。
【００８６】
また、兼用端子４１ｄ（映像出力端子２１）と兼用端子４１ｃ（音声出力端子２３）が、例えば入力端子として機能するよう設定された場合、例えばビデオカメラ等から映像信号と音声信号とが入力可能となる。このとき、図３に示した［兼用端子モード設定］表示３０１においては、第３の表示領域３０７の反転表示」または「他の表示領域と異なる色による表示」により、兼用端子が信号の入力に利用される入力モードに設定されていることが報知される。
【００８７】
以上説明したように、この発明の一つの実施の形態によれば、少なくとも音声または映像信号の出力が可能な複数の出力モードと複数の入力モードとを設定できる兼用端子を用い、外部装置に対して音声またはオーディオ信号を出力する場合に、映像と音声とを出力する処理がある場合の出力モードの切り換え、あるいは音声のみを出力する処理に引き続く映像と音声とを出力する処理に対して生じることのある制約について、ユーザーに報知可能である。
【００８８】
またこの発明の一つの実施の形態によれば、少なくとも音声または映像信号の出力が可能な複数の出力モードと複数の入力モードとを設定できる兼用端子のモードの切り換えの際に、各モードが入力端子として機能するのか出力端子として機能するのか、また出力端子として利用する場合には、どのタイミングでどのような信号を出力するのかを表示することで、ユーザーに切り換え後の端子の挙動を示すことができる。
【００８９】
さらにこの発明の一つの実施の形態によれば、少なくとも音声または映像信号の出力が可能な複数の出力モードと複数の入力モードとを設定できる兼用端子に対する出力モードの変更が指示された場合において、録画や、設定されている予約録画に支障をきたすことになる場合に、ワーニングを表示することで、設定の変更に伴う制約があることをユーザーに知らせることができる。
【００９０】
またさらにこの発明の一つの実施の形態によれば、少なくとも音声または映像信号の出力が可能な複数の出力モードと複数の入力モードとを設定できる兼用端子に対する出力モードの変更が指示された場合において、その変更の実行すなわち入出力モードを切り換えるかいなかを判断する方法として、その端子を用いて設定している予約録画の有無を確認することができ、映像音声装置を用いる予約録画の失敗等が生じる要因が低減される。
【００９１】
従って、映像音声再生装置の操作性が向上され、ユーザーの負担が低減できる。
【００９２】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００９３】
１３…映像表示器（表示装置）、１５…音声再生器（オーディオ再生装置（スピーカー））、１７…操作部、１９…リモコン受信部、２１（４１ｄ）…入出力端子（映像）、２３（４１ｃ）…入出力端子（音声）、２５…入出力切換モジュール（映像）、２７…入出力切換モジュール（音声）、４１ａ，４１ｂ…入力端子、４１ｃ，４１ｄ…入出力端子、４４…衛星デジタル放送用チューナーモジュール、４５…ＰＳＫ復調器モジュール、４６…ＴＳ復号器モジュール（衛星デジタル放送用）、４７…信号処理モジュール、４７ａ…バッファメモリ、４７ｂ…セクション処理モジュール、４７ｃ…ＡＶデコーダー、５０…地上デジタル放送用チューナーモジュール、５１…ＯＦＤＭ復調器モジュール、５２…地上アナログ放送用チューナーモジュール、５３…アナログ復調器モジュール、５５…音声処理モジュール、５６…ＴＳ復号器モジュール（地上デジタル放送用）、５７…ＯＳＤ信号生成モジュール、５８…映像処理モジュール、６０…制御モジュール、６１…ＣＰＵ、６２…ＲＯＭ、６３…ＲＡＭ、６４…ＮＶ−ＲＡＭ（不揮発性メモリ）、６５…予約録画制御モジュール、６６…ＧＵＩ画面表示モジュール、６７…操作入力判別モジュール、６８…出力モード切換モジュール、９０…ＨＤＤ、１１１…テレビ受信装置（デジタルテレビジョン放送受信装置）、１１５…モニター装置（表示装置）、１１７…リモートコントローラ、１１９…第１のメモリカード、１２０…第２のメモリカード。
【図１】
2010206280.tif 000003
【図２】
2010206280.tif 000004
【図３】
2010206280.tif 000005
【図４】
2010206280.tif 000006
【図５】
2010206280.tif 000007
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
信号を入力または出力する複数の兼用端子と、
前記複数の兼用端子へ前記信号を入力するモードまたは前記複数の兼用端子から前記信号を出力するモードを設定する設定モジュールと、
前記設定モジュールが設定した前記モードに応じて、前記信号を入力する処理または前記信号を出力する処理を実行する実行モジュールと、
前記設定モジュールが前記モードの切り替えを要求された場合に、前記モードの切り替えによって前記実行モジュールが実行する前記処理に関する情報を報知する報知モジュールと、
を具備することを特徴とする映像音声再生装置。
【請求項２】
前記報知モジュールは、前記設定モジュールが前記モードの切り替えを要求された場合に、前記モードの切り替えによって、前記信号を出力する処理が停止することを報知することを特徴とする請求項１記載の映像音声再生装置。
【請求項３】
前記実行モジュールによる前記兼用端子を利用する処理の実行を予約する予約モジュールをさらに具備し、
前記報知モジュールは、前記予約がされている状態で、前記設定モジュールが前記モードの切り替えを要求された場合に、前記予約があることを報知することを特徴とする請求項１記載の映像音声再生装置。
【請求項４】
前記報知モジュールは、前記実行モジュールが、前記設定モジュールが設定した前記モードに応じて映像信号および音声信号を出力する処理を実行している状態、または、前記予約モジュールが前記処理の実行を予約している状態で、前記モードの切り替えを要求された場合に、前記モードの切り替えによって、前記実行モジュールが前記映像信号は出力せず前記音声信号を出力する処理を実行することを報知することを特徴とする請求項３記載の映像音声再生装置。
【請求項５】
信号を入力または出力する複数の兼用端子へ前記信号を入力するモードまたは前記複数の兼用端子から前記信号を出力するモードを設定し、
設定した前記モードに応じて、前記信号を入力する処理または前記信号を出力する処理を実行し、
前記モードの切り替えを要求された場合に、前記モードの切り替えによって実行する前記処理に関する情報を報知することを特徴とする映像音声再生方法。
【手続補正２】
【補正対象書類名】明細書
【補正対象項目名】０００８
【補正方法】変更
【補正の内容】
【０００８】
この発明は、上記問題点に基づきなされたもので、信号を入力または出力する複数の兼用端子と、前記複数の兼用端子へ前記信号を入力するモードまたは前記複数の兼用端子から前記信号を出力するモードを設定する設定モジュールと、前記設定モジュールが設定した前記モードに応じて、前記信号を入力する処理または前記信号を出力する処理を実行する実行モジュールと、前記設定モジュールが前記モードの切り替えを要求された場合に、前記モードの切り替えによって前記実行モジュールが実行する前記処理に関する情報を報知する報知モジュールと、を具備することを特徴とする映像音声再生装置である。
【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
音声信号を入力、または出力する第１の兼用端子と、
映像信号を入力、出力または停止する第２の兼用端子と、
前記第１及び第２の兼用端子に対して、前記音声信号及び前記映像信号を出力する第１のモード、前記音声信号を出力するとともに前記映像信号を停止する第２のモードの何れかのモードを設定する設定モジュールと、
前記設定モジュールが設定した前記モードに応じて、前記音声信号及び映像信号それぞれを出力、または停止する処理を実行する実行モジュールと、
前記実行モジュールが前記音声信号及び映像信号それぞれを出力する処理を実行する予約をする予約モジュールと、
前記設定モジュールが前記第１のモードから前記第２のモードへの変更を要求された場合に、前記予約モジュールが予約した前記処理の内容を提示するための情報、及び、当該モードの変更によって前記予約モジュールが予約した前記処理の内容が実行されなくなることを示す情報を報知する報知モジュールと、
を具備することを特徴とする映像音声再生装置。
【請求項２】
前記報知モジュールは、前記設定モジュールが前記第１のモードから前記第２のモードへの変更を要求された場合に、さらに前記実行モジュールが前記第１のモードから第２のモードへの変更を実行するか否かを示す情報を報知することを特徴とする請求項１記載の映像音声再生装置。
【請求項３】
前記報知モジュールは、前記設定モジュールが前記第１のモードから前記第２のモードへの変更を要求された場合、前記予約モジュールが予約した前記処理の内容の一覧を提示することを指示するための指示画面を提示し、提示した前記指示画面から前記処理の内容の一覧を指示する入力信号が入力された場合、前記処理の内容の一覧を提示することを特徴とする請求項１記載の映像音声再生装置。
【請求項４】
音声信号を入力、または出力する第１の兼用端子と、映像信号を入力、または出力する第２の兼用端子とを具備する映像音声再生装置による映像音声入出力モードの設定方法であって、
前記第１及び第２の兼用端子に対して、前記音声信号及び前記映像信号を出力する第１のモード、前記音声信号を出力するとともに前記映像信号を停止する第２のモードの何れかのモードを設定し、
設定したモードに応じて、前記音声信号及び映像信号それぞれを出力、または停止する処理を実行し、
設定した前記第１のモードに応じて、前記音声信号及び映像信号それぞれを出力する処理を実行する予約をし、
前記第１のモードから前記第２のモードへの変更を要求された場合に、当該モードの変更によって予約した前記処理の内容が実行されなくなることを示す情報を報知することを特徴とする映像音声再生入出力モードの設定方法。
【手続補正２】
【補正対象書類名】明細書
【補正対象項目名】０００８
【補正方法】変更
【補正の内容】
【０００８】
この発明は、上記問題点に基づきなされたもので、音声信号を入力、または出力する第１の兼用端子と、映像信号を入力、出力または停止する第２の兼用端子と、前記第１及び第２の兼用端子に対して、前記音声信号及び前記映像信号を出力する第１のモード、前記音声信号を出力するとともに前記映像信号を停止する第２のモードの何れかのモードを設定する設定モジュールと、前記設定モジュールが設定した前記モードに応じて、前記音声信号及び映像信号それぞれを出力、または停止する処理を実行する実行モジュールと、前記実行モジュールが前記音声信号及び映像信号それぞれを出力する処理を実行する予約をする予約モジュールと、前記設定モジュールが前記第１のモードから前記第２のモードへの変更を要求された場合に、前記予約モジュールが予約した前記処理の内容を提示するための情報、及び、当該モードの変更によって前記予約モジュールが予約した前記処理の内容が実行されなくなることを示す情報を報知する報知モジュールと、を具備することを特徴とする映像音声再生装置である。